(57)【要約】    【課題】      画像情報の読み取りを終えて排紙された原稿と、画像情報に基づいて画像が記録された記録済みシートとを、区分された状態を保ったまま容易に片手で取り出すことができるようにすること。    【解決手段】  原稿Ｏを載置する原稿給紙トレイ１４１と、排紙される原稿Ｏを載置する原稿給紙トレイ１４１の下方に配置された原稿排紙トレイ１４５と、装置本体１０１の最上部に排紙される記録済みシートＰｓを載置する原稿給紙トレイ１４１の上方に配置されたシート排紙トレイ１５１と、原稿排紙トレイ１４５に排紙される原稿Ｏの排紙方向下流端部が原稿給紙トレイ１４１の原稿給紙方向上流端部よりも原稿排紙トレイ１４５の排紙方向下流側位置に臨むように原稿Ｏを原稿排紙トレイ１４５に排紙する原稿排紙ローラ１４４と、を具備する。  【選択図】      図４
2005309014.tif 000002
【特許請求の範囲】
【請求項１】
自動給紙する原稿を載置するための原稿給紙台と、
前記原稿給紙台から給紙されて排紙される原稿を載置するための前記原稿給紙台の下方に配置された原稿排紙台と、
前記原稿の画像が形成されて装置本体の最上部に排紙される記録済みシートを載置するための前記原稿給紙台の上方に配置されたシート排紙台と、
前記原稿排紙台に排紙される原稿の排紙方向下流端部が前記原稿給紙台の原稿給紙方向上流端部よりも前記原稿排紙台の排紙方向下流側位置に臨むように前記原稿を前記原稿排紙台に排紙する原稿排紙手段と、を具備することを特徴とする画像形成装置。
【請求項２】
前記シート排紙台に載置される記録済みシートの排紙方向下流端部と、前記原稿排紙台に載置される原稿の排紙方向下流端部とが、互いに排紙方向に位置ずれするように排紙されることを特徴とする請求項１記載の画像形成装置。
【請求項３】
前記シート排紙台に載置される前記記録済みシートと、前記原稿排紙台に載置される原稿とが、互いに排紙方向と直交する向きに位置ずれするように排紙されることを特徴とする請求項１または請求項２記載の画像形成装置。
【請求項４】
前記原稿給紙台は、上方に変位することを特徴とする請求項１から請求項３のいずれかに記載の画像形成装置。
【請求項５】
前記原稿排紙台は、前記原稿排紙台に排紙された原稿の排紙方向下流端部を上方に湾曲させる湾曲部を有し、
前記原稿給紙台および前記シート排紙台は、前記湾曲部と上下方向で対向する部位に切欠部が設けられていることを特徴とする請求項１から請求項４のいずれかに記載の画像形成装置。
【請求項６】
原稿を載置するための原稿給紙台と、
前記原稿給紙台から給紙されて排紙される原稿を載置するための前記原稿給紙台の上方に配置された原稿排紙台と、
前記原稿の画像が形成されて装置本体の最上部に排紙される記録済みシートを載置するための前記原稿排紙台の上方に配置されたシート排紙台と、を有し、
前記原稿排紙台に載置される原稿と、前記シート排紙台に載置される前記記録済みシートとは、互いの表裏が反対になるように排紙されることを特徴とする画像形成装置。
【請求項７】
前記シート排紙台に載置される記録済みシートの排紙方向下流端部と、前記原稿排紙台に載置される原稿の排紙方向下流端部とが、互いに排紙方向に位置ずれするように排紙されることを特徴とする請求項６記載の画像形成装置。
【請求項８】
前記シート排紙台に載置される前記記録済みシートの排紙方向下流端部と、前記原稿排紙台に載置される原稿の排紙方向下流端部とが、互いに排紙方向と直交する向きに位置ずれするように排紙されることを特徴とする請求項６または請求項７記載の画像形成装置。
【請求項９】
前記原稿給紙台は、上方に変位することを特徴とする請求項６から請求項８のいずれかに記載の画像形成装置。
【請求項１０】
前記原稿排紙台は、前記原稿排紙台に排紙された原稿の排紙方向下流端部を上方に湾曲させる湾曲部を有し、前記原稿給紙台および前記シート排紙台は、前記湾曲部と上下方向で対向する部位に切欠部が設けられていることを特徴とする請求項６から請求項９のいずれかに記載の画像形成装置。
【請求項１１】
原稿の画像情報に基づいてシート上に画像形成を行う画像形成部を備えた画像形成装置の装置本体の上部に配置される自動原稿給紙装置であって、
前記原稿を載置するための原稿給紙台と、
前記原稿給紙台に載置された前記原稿を給紙する原稿給紙手段と、
前記原稿給紙手段により給紙された前記原稿の画像情報を読み取る原稿読取手段と、
前記原稿読取手段により前記画像情報が読み取られた前記原稿を排紙する原稿排紙手段と、
前記原稿排紙手段により排紙される前記原稿を載置するための前記原稿給紙台の下方に配置した原稿排紙台と、
前記画像形成部により画像形成された記録済みシートを前記原稿給紙台の上方に搬送して排紙するシート排紙手段と、
前記シート排紙手段により排紙される前記記録済みシートを載置するための前記原稿給紙台の上方に配置したシート排紙台と、を有し、
前記原稿排紙手段は、前記原稿排紙台に排紙される原稿の排紙方向下流端部が前記原稿給紙台の原稿給紙方向上流端部よりも前記原稿排紙台の排紙方向下流側位置に臨むように前記原稿を前記原稿排紙台に排紙することを特徴とする自動原稿給紙装置。
【請求項１２】
原稿の画像情報に基づいてシート上に画像形成を行う画像形成部を備えた画像形成装置の装置本体の上部に配置される自動原稿給紙装置であって、
前記原稿を載置するための原稿給紙台と、
前記原稿給紙台に載置された前記原稿を給紙する原稿給紙手段と、
前記原稿給紙手段により給紙された前記原稿の画像情報を読み取る原稿読取手段と、
前記原稿読取手段により前記画像情報が読み取られた前記原稿を原稿として表裏を反転して排紙する原稿反転排紙手段と、
前記原稿反転排紙手段により排紙される前記原稿を載置するための前記原稿給紙台の上方に配置した原稿排紙台と、
前記画像形成部により画像形成された記録済みシートを前記原稿給紙台の上方に搬送して排紙するシート排紙手段と、
前記シート排紙手段により排紙される前記記録済みシートを載置するための前記原稿給紙台の上方に配置したシート排紙台と、を具備する自動原稿給紙装置。
【発明の詳細な説明】
【技術分野】
【０００１】
本発明は、画像形成装置に関し、特に、自動原稿給紙装置（ＡＤＦ）を搭載した、スキャナ、複写機、プリンタ、ファクシミリ等を統合した多機能の複合機に用いて有用な画像形成装置に関する。
【背景技術】
【０００２】
従来、この種の画像形成装置は、一般的に、ユーザの操作性を考慮して、ユーザの手操作で原稿の画像情報を読み取るフラットベットスキャナからなる読取部が装置本体の上面に配設されている。また、この種の画像形成装置は、原稿を自動給紙して画像情報を読み取る自動原稿給紙装置が前記読取部の上に配設されている。
【０００３】
このように、この種の画像形成装置は、装置本体の最上部に自動原稿給紙装置が配設されているため、画像形成部において画像が形成された記録済みシートを、装置本体の側面に配設したシート排紙台上に排紙して載置するようにしている。この画像形成装置では、前記シート排紙台が装置本体の側面から突出した構成となるため、見かけよりも大きな設置面積が必要となる。
【０００４】
そこで、近年、読取部と画像形成部との間の装置本体胴部に空間を形成し、この空間に記録済みシートの排紙部を形成した構成の画像形成装置が提案されている（例えば、特許文献１参照）。この画像形成装置は、特別な場合に開いて使われる手差しトレイを除けば、装置本体の側面から突出するものがないので設置面積が小さくて済む。
【０００５】
しかしながら、この画像形成装置は、装置本体胴部に形成された排紙部が、装置本体前面の操作パネルや前記読取部等の陰に隠れてしまう構成となるため、排紙部に排紙された記録済みシートの視認性や取り出し作業性に難点がある。また、この画像形成装置は、装置本体胴部に空間が形成されているため、その筐体構造や外装の構成などが複雑になり、装置本体の強度維持等のために余分なコストがかかるという問題がある。
【０００６】
これに先立って、本出願人は、自動原稿給紙装置の最上部に記録済みシートを排紙できるように構成した画像形成装置を提案している（例えば、特許文献２参照）。
【０００７】
この画像形成装置は、装置本体の最上部に記録済みシートを排紙できるので、排紙された記録済みシートの確認や取り出しを容易に行うことができる。また、この画像形成装置は、装置本体の側面から突出するものがないので、装置本体の設置面積を小さくできる。
【０００８】
しかし、この画像形成装置の自動原稿給紙装置は、読取部の上面の原稿載置台上に載置された原稿の原稿カバーを兼ねており、装置本体に対して開閉自在に構成されている。このため、この構成の画像形成装置では、その読取部の上面の原稿載置台上にブック原稿のような厚みのある原稿を載置すると、原稿カバー（自動原稿給紙装置の下面）の浮き上がりによって記録済みシートの排紙経路に位置ずれが生じる。従って、このような構成の画像形成装置では、その排紙経路の位置ずれによって発生する記録済みシートのシートジャムをどのようにして解消するかが問題となる。
【０００９】
そこで、特許文献２記載の画像形成装置においては、その画像形成部から装置本体の上面へ至る排紙通路を原稿カバーの開閉軸の近傍に設けることによって、原稿カバーが浮き上がっても記録済みシートを支障なく最上部に排紙できるように構成している。
【特許文献１】特開２００３―３０７９９６号公報
【特許文献２】特開平８−２８６４５０号公報
【発明の開示】
【発明が解決しようとする課題】
【００１０】
ところで、近年、一般のオフィスなどで使われる多機能の画像形成装置においては、文書データや画像データのデジタル化に伴って、パーソナルコンピュータ（ＰＣ）やファクシミリ（ＦＡＸ）およびメモリカード等の外部から入力される電子データに基づいた画像形成頻度が著しく増加する傾向にあり、紙文書の複写はたまに行われる程度になってきている。
【００１１】
このように、この種の画像形成装置では、ユーザの手操作により複写が行われる機会が少なくなってきているため、外部からの指示で画像形成された記録済みシートが、シート排紙台上に排紙された状態のまま放置されている場合が少なくない。
【００１２】
このような場合、特許文献１記載の画像形成装置では、排紙された記録済みシートの視認性がよくないため、先に排紙された記録済みシートの上に、後から排紙された記録済みシートが載置されて区別できなくなってしまうおそれがある。
【００１３】
また、近年の画像形成装置は、一見しただけでは原稿と区別が出来ない程、原稿を忠実にコピーすることができるようになってきている。このため、このような高品質の画像形成が行える画像形成装置においては、記録済みシートと原稿とを不用意に重ね合わせて揃えてしまうと、原稿と記録済みシートとの区別ができなくなってしまうおそれがある。従って、この種の画像形成装置では、品質の如何に関わらず記録済みシートよりも原稿を保護できるように構成しておくことが望ましい。
【００１４】
しかしながら、特許文献１記載の画像形成装置では、原稿と記録済みシートとがそれぞれ離れた部位に排紙されため、原稿と記録済みシートとを区分された状態を保ったまま重ねて同時に取り出すことが難しく、原稿と記録済みシートとを個別に取り出すように強いられる。このため、この画像形成装置では、個別に取り出した原稿と記録済みシートとをユーザが重ね合わせて揃えてしまうおそれが高く、結果的に原稿と記録済みシートとの区別ができなくなってしまうおそれがある。
【００１５】
これに対し、特許文献２記載の画像形成装置では、記録済みシートが装置本体の最上部に排紙されるので、ユーザが複写操作を行う際に記録済みシートの有無を容易に確認することができる。従って、この画像形成装置では、先に排紙されている記録済みシートの上に他の記録済みシートが排紙されて区別できなくなるおそれは低い。
【００１６】
ところが、特許文献２記載の画像形成装置は、記録済みシートを載置するシート排紙台の下方に原稿を載置する原稿給紙台が配置され、さらに原稿給紙台の下方に読み取り済みの原稿を載置する原稿排紙台が配置された構成となっている。
【００１７】
このため、この画像形成装置においては、原稿排紙台に排紙された原稿が原稿給紙台の下方に隠れてしまうため原稿と記録済みシートとを個別に取り出さざるを得ず、ユーザが原稿と記録済みシートとを重ね合わせて揃えてしまうおそれがある。
【００１８】
このように、この種の画像形成装置においては、原稿と記録済みシートとを区分された状態を保ったまま重ねて同時に取り出すことが難しく、原稿と記録済みシートとの区別ができなくなるおそれがあるなど、利便性の面で課題が残されていた。
【００１９】
本発明は、かかる点に鑑みてなされたもので、画像情報の読み取りを終えて排紙された原稿と、画像情報に基づいて画像が形成された記録済みシートとを、区分された状態を保ったまま容易に片手で取り出すことができる利便性の高い画像形成装置を提供することを目的とする。
【課題を解決するための手段】
【００２０】
かかる課題を解決するため、請求項１記載の画像形成装置は、自動給紙する原稿を載置するための原稿給紙台と、前記原稿給紙台から給紙されて排紙される原稿を載置するための前記原稿給紙台の下方に配置された原稿排紙台と、前記原稿の画像が形成されて装置本体の最上部に排紙される記録済みシートを載置するための前記原稿給紙台の上方に配置されたシート排紙台と、前記原稿排紙台に排紙される原稿の排紙方向下流端部が前記原稿給紙台の原稿給紙方向上流端部よりも前記原稿排紙台の排紙方向下流側位置に臨むように前記原稿を前記原稿排紙台に排紙する原稿排紙手段と、を具備する構成を採る。
【００２１】
この構成によれば、前記原稿排紙台に排紙されて載置された原稿の排紙方向下流端部が、前記原稿給紙台の原稿給紙方向上流端部よりも前記原稿排紙台の排紙方向下流側位置に臨むので、この原稿を取り出す際に前記原稿給紙台が邪魔になることがない。従って、この構成においては、前記原稿排紙台に載置された原稿と、前記シート排紙台に載置された記録済みシートとを、ユーザが片手で同時に掴んで取り出すことが可能になる。また、ユーザは、片手で取り出した原稿と記録済みシートとをわざわざ重ね合わせて揃えてしまうことはないので、原稿と記録済みシートとを容易に分別できるようになる。
【００２２】
請求項２記載の画像形成装置は、請求項１記載の発明において、前記シート排紙台に載置される記録済みシートの排紙方向下流端部と、前記原稿排紙台に載置される原稿の排紙方向下流端部とが、互いに排紙方向に位置ずれするように排紙される構成を採る。
【００２３】
この構成によれば、請求項１記載の発明の効果に加えて、ユーザが原稿と記録済みシートとを同時に掴み、かつ互いに排紙方向に位置ずれした位置関係を維持したまま取り出すことができるので、原稿と記録済みシートとの分別を極めて容易に行うことができる。
【００２４】
請求項３記載の画像形成装置は、請求項１または請求項２記載の発明において、前記シート排紙台に載置される前記記録済みシートと、前記原稿排紙台に載置される原稿とが、互いに排紙方向と直交する向きに位置ずれするように排紙される構成を採る。
【００２５】
この構成によれば、請求項１または請求項２記載の発明の効果に加えて、ユーザが原稿と記録済みシートとを同時に掴み、かつ互いに排紙方向と直交する向きに位置ずれした位置関係を維持したまま取り出すことができるので、原稿と記録済みシートとの分別を極めて容易に行うことができる。
【００２６】
請求項４記載の画像形成装置は、請求項１から請求項３のいずれかに記載の発明において、前記原稿給紙台は、上方に変位する構成を採る。
【００２７】
この構成によれば、請求項１から請求項３のいずれかに記載の発明の効果に加えて、ユーザが原稿と記録済みシートとを同時に掴んで引き出す際に原稿給紙台が上方に変位するので、原稿と記録済みシートとをより容易に取り出すことができる。
【００２８】
請求項５記載の画像形成装置は、請求項１から請求項４のいずれかに記載の発明において、前記原稿排紙台は、前記原稿排紙台に排紙された原稿の排紙方向下流端部を上方に湾曲させる湾曲部を有し、前記原稿給紙台および前記シート排紙台は、前記湾曲部と上下方向で対向する部位に切欠部が設けられている構成を採る。
【００２９】
この構成によれば、請求項１から請求項４のいずれかに記載の発明の効果に加えて、前記原稿排紙台に載置された原稿の排紙方向下流端部が前記湾曲部により上方に湾曲される。これにより、原稿と記録済みシートとの双方の排紙方向下流端部の離間距離が、ユーザが原稿と記録済みシートとを片手で同時に掴み易い距離に縮まる。また、この構成においては、原稿および記録済みシートのそれぞれの排紙方向下流端部が、原稿給紙台およびシート排紙台のそれぞれの切欠部から迫り出すように載置される。従って、この構成においては、前記切欠部から迫り出した原稿および記録済みシートのそれぞれの排紙方向下流端部を片手で同時に掴むことにより、原稿給紙台およびシート排紙台が邪魔になることがなく、原稿と記録済みシートとをより容易に片手で同時に掴んで取り出すことができる。
【００３０】
請求項６記載の画像形成装置は、原稿を載置するための原稿給紙台と、前記原稿給紙台から給紙されて排紙される原稿を載置するための前記原稿給紙台の上方に配置された原稿排紙台と、前記原稿の画像が形成されて装置本体の最上部に排紙される記録済みシートを載置するための前記原稿排紙台の上方に配置されたシート排紙台と、を有し、前記原稿排紙台に載置される原稿と、前記シート排紙台に載置される前記記録済みシートとは、互いの表裏が反対になるように排紙される構成を採る。
【００３１】
この構成によれば、前記原稿排紙台に載置される原稿と、前記シート排紙台に載置される前記記録済みシートとが、互いの表裏が反対になるように排紙されるので、前記原稿と前記記録済みシートとを極めて容易に分別することができる。
【００３２】
請求項７記載の画像形成装置は、請求項６記載の発明において、前記シート排紙台に載置される記録済みシートの排紙方向下流端部と、前記原稿排紙台に載置される原稿の排紙方向下流端部とが、互いに排紙方向に位置ずれするように排紙される構成を採る。
【００３３】
この構成によれば、請求項６記載の発明の効果に加えて、ユーザが原稿と記録済みシートとを同時に掴み、かつ互いに排紙方向に位置ずれした位置関係を維持したまま取り出すことができるので、原稿と記録済みシートとの分別を極めて容易に行うことができる。
【００３４】
請求項８記載の画像形成装置は、請求項６または請求項７記載の発明において、前記シート排紙台に載置される前記記録済みシートの排紙方向下流端部と、前記原稿排紙台に載置される原稿の排紙方向下流端部とが、互いに排紙方向と直交する向きに位置ずれするように排紙される構成を採る。
【００３５】
この構成によれば、請求項６または請求項７記載の発明の効果に加えて、ユーザが原稿と記録済みシートとを同時に掴み、かつ互いに排紙方向と直交する向きに位置ずれした位置関係を維持したまま取り出すことができるので、原稿と記録済みシートとの分別を極めて容易に行うことができる。
【００３６】
請求項９記載の画像形成装置は、請求項６から請求項８のいずれかに記載の発明において、前記原稿給紙台は、上方に変位する構成を採る。
【００３７】
この構成によれば、請求項６から請求項８のいずれかに記載の発明の効果に加えて、ユーザが前記原稿と前記記録済みシートとを同時に掴んで引き出す際に前記原稿給紙台が上方に変位するので、前記原稿と前記記録済みシートとをより容易に取り出すことができる。
【００３８】
請求項１０記載の画像形成装置は、請求項６から請求項９のいずれかに記載の発明において、前記原稿排紙台は、前記原稿排紙台に排紙された原稿の排紙方向下流端部を上方に湾曲させる湾曲部を有し、前記原稿給紙台および前記シート排紙台は、前記湾曲部と上下方向で対向する部位に切欠部が設けられている構成を採る。
【００３９】
この構成によれば、請求項６から請求項９のいずれかに記載の発明の効果に加えて、前記原稿排紙台に載置された原稿の排紙方向下流端部が前記湾曲部により上方に湾曲される。これにより、原稿と記録済みシートとの双方の排紙方向下流端部の離間距離が、ユーザが原稿と記録済みシートとを片手で同時に掴み易い距離に縮まる。また、この構成においては、原稿および記録済みシートのそれぞれの排紙方向下流端部が、原稿給紙台およびシート排紙台のそれぞれの切欠部から迫り出すように載置される。従って、この構成においては、前記切欠部から迫り出した原稿および記録済みシートのそれぞれの排紙方向下流端部を片手で同時に掴むことにより、原稿給紙台およびシート排紙台が邪魔になることがなく、原稿と記録済みシートとをより容易に片手で同時に掴んで取り出すことができる。
【００４０】
請求項１１記載の自動原稿給紙装置は、原稿の画像情報に基づいてシート上に画像形成を行う画像形成部を備えた画像形成装置の装置本体の上部に配置される自動原稿給紙装置であって、前記原稿を載置するための原稿給紙台と、前記原稿給紙台に載置された前記原稿を給紙する原稿給紙手段と、前記原稿給紙手段により給紙された前記原稿の画像情報を読み取る原稿読取手段と、前記原稿読取手段により前記画像情報が読み取られた前記原稿を排紙する原稿排紙手段と、前記原稿排紙手段により排紙される前記原稿を載置するための前記原稿給紙台の下方に配置した原稿排紙台と、前記画像形成部により画像形成された記録済みシートを前記原稿給紙台の上方に搬送して排紙するシート排紙手段と、前記シート排紙手段により排紙される前記記録済みシートを載置するための前記原稿給紙台の上方に配置したシート排紙台と、を有し、前記原稿排紙手段は、前記原稿排紙台に排紙される原稿の排紙方向下流端部が前記原稿給紙台の原稿給紙方向上流端部よりも前記原稿排紙台の排紙方向下流側位置に臨むように前記原稿を前記原稿排紙台に排紙する構成を採る。
【００４１】
この構成によれば、前記原稿排紙台に排紙されて載置された原稿の排紙方向下流端部が、前記原稿給紙台の原稿給紙方向上流端部よりも前記原稿排紙台の排紙方向下流側位置に臨むので、この原稿を取り出す際に前記原稿給紙台が邪魔になることがない。従って、この構成においては、前記原稿排紙台に載置された原稿と、前記シート排紙台に載置された記録済みシートとを、ユーザが片手で同時に掴んで取り出すことができるようになる。
【００４２】
請求項１２記載の自動原稿給紙装置は、原稿の画像情報に基づいてシート上に画像形成を行う画像形成部を備えた画像形成装置の装置本体の上部に配置される自動原稿給紙装置であって、前記原稿を載置するための原稿給紙台と、前記原稿給紙台に載置された前記原稿を給紙する原稿給紙手段と、前記原稿給紙手段により給紙された前記原稿の画像情報を読み取る原稿読取手段と、前記原稿読取手段により前記画像情報が読み取られた前記原稿を原稿として表裏を反転して排紙する原稿反転排紙手段と、前記原稿反転排紙手段により排紙される前記原稿を載置するための前記原稿給紙台の上方に配置した原稿排紙台と、前記画像形成部により画像形成された記録済みシートを前記原稿給紙台の上方に搬送して排紙するシート排紙手段と、前記シート排紙手段により排紙される前記記録済みシートを載置するための前記原稿給紙台の上方に配置したシート排紙台と、を具備する構成を採る。
【００４３】
この構成によれば、前記原稿反転排紙手段により前記原稿排紙台に排紙される原稿の表裏が反転されるので、この原稿と前記シート排紙台に載置される記録済みシートとの表裏が反対になり、原稿と記録済みシートとを極めて容易に分別することができる。
【発明の効果】
【００４４】
本発明によれば、画像情報の読み取りを終えて排紙された原稿と、画像情報に基づいて画像が形成された記録済みシートとを、区分された状態を保ったまま容易に片手で取り出すことができるので、ユーザに対する利便性を向上させることができる。
【発明を実施するための最良の形態】
【００４５】
本発明の骨子は、原稿排紙台に排紙される原稿の排紙方向下流端部が前記原稿給紙台の原稿給紙方向上流端部よりも前記原稿排紙台の排紙方向下流側位置に臨むように前記原稿を前記原稿排紙台に排紙させるようにすることである。
【００４６】
以下、本発明の実施の形態について、図面を参照して詳細に説明する。なお、各図において同一の構成または機能を有する構成要素および相当部分には、同一の符号を付してその説明は繰り返さない。
【００４７】
（実施の形態１）
まず、本発明の実施の形態１に係る画像形成装置について説明する。本実施の形態１に係る画像形成装置は、紙文書やブック原稿などを複写する複写機能、ＰＣなどから送信される電子データなどをプリントアウトするプリント機能、およびＦＡＸなどと送受信するファクシミリ機能等を有する多機能の複合機としての構成を備えている。なお、本発明は、単一の機能のみを備えた画像形成装置でも適用可能であることはいうまでもない。
【００４８】
図１は、本発明の実施の形態１に係る画像形成装置の外観を示す概略斜視図である。図２は、本発明の実施の形態１に係る画像形成装置の全体的な構成を示す概略断面図である。
【００４９】
図２に示すように、この画像形成装置１００は、受信部１１０、読取部１２０、画像形成部１３０、自動原稿給紙装置１４０、シート排紙部１５０、給紙部１７０、搬送系１８０などを具備している。
【００５０】
受信部１１０は、ＰＣ、ＦＡＸ、または記憶媒体（メモリカード）などの外部機器からＬＡＮ（無線ＬＡＮを含む）や公衆回線を介して入力される画像情報を受信する。画像形成装置１００には、ＬＡＮケーブルが接続されるＬＡＮポート、公衆回線が接続されるモジュラー、メモリカードが装着されるカードスロットなどが配設されている（いずれも図示せず）。
【００５１】
読取部１２０は、図１に示すように、画像形成装置１００の装置本体１０１の上部に配設されている。本例の読取部１２０は、図２に示すように、ユーザの手操作で複写するシート原稿またはブック原稿を載置する原稿載置台（コンタクトガラス）１２１、原稿載置台１２１上に載置されたシート原稿（または、ブック原稿）を覆う原稿カバー１２２、シート原稿（または、ブック原稿）の画像を走査して画像情報を読み取る走査光学系１２３などで構成されている。
【００５２】
本例の走査光学系１２３は、光源１２３ａ、ミラー１２３ｂ、レンズ１２３ｃおよび撮像素子（ＣＣＤ）１２３ｄなどで構成されている。原稿カバー１２２は、後述する自動原稿給紙装置１４０の原稿排紙台としての原稿排紙トレイ１４５を兼ねた構成を有している。
【００５３】
画像形成部１３０は、画像形成装置１００の装置本体１０１のほぼ中央部に配設されている。本例の画像形成部１３０は、感光体１３１、帯電器１３２、露光装置１３３、現像装置１３４、転写ローラ１３５、クリーニング装置１３６および定着装置１３７などで構成されている。
【００５４】
自動原稿給紙装置１４０は、図１に示すように、読取部１２０の上部に配設されている。本例の自動原稿給紙装置１４０は、図２に示すように、原稿給紙台としての原稿給紙トレイ１４１、原稿給紙手段としての原稿給紙ローラ１４２、原稿読取手段としてのスキャナ１４３、原稿排紙手段としての原稿排紙ローラ１４４、および原稿排紙台としての原稿排紙トレイ１４５などを備えている。
【００５５】
原稿給紙トレイ１４１は、自動給紙する原稿Ｏを載置する。この原稿給紙トレイ１４１には、載置された原稿Ｏの側面位置を位置決めする変位自在な原稿位置規制板１４６が設けられている。原稿給紙ローラ１４２は、原稿給紙トレイ１４１に載置（セット）された原稿Ｏを１枚ずつ分離してスキャナ１４３に向けて給紙する。スキャナ１４３は、原稿給紙ローラ１４２により分離給紙された原稿Ｏの画像情報を読み取る。原稿排紙ローラ１４４は、スキャナ１４３により画像情報の読み取りを終えた原稿Ｏを原稿排紙トレイ１４５上に排紙する。
【００５６】
本例の自動原稿給紙装置１４０は、図３に示すように、原稿給紙トレイ１４１に載置（セット）された原稿Ｏを、原稿給紙ローラ１４２により１枚ずつ分離給紙し、原稿排紙ローラ１４４により原稿給紙トレイ１４１の下方に配設された原稿排紙トレイ１４５上に排紙するように構成されている。また、本例の自動原稿給紙装置１４０は、原稿カバー１２２と共に、装置本体１０１に対して開閉自在に構成されている。
【００５７】
シート排紙部１５０は、シート排紙台としてのシート排紙トレイ１５１、シート排紙手段としてのシート排紙ローラ１５２、シート搬送ローラ１５３およびシート排紙ガイド板１５４などを備えている。このシート排紙部１５０は、図３に示すように、後述する画像形成部１３０で画像形成された記録済みシートＰｓを装置本体１０１の最上部に排紙するように構成されている。
【００５８】
図１ないし図３において、シート排紙トレイ１５１は、原稿給紙トレイ１４１の上部に配設されており、機外に排紙された記録済みシートＰｓを載置する。シート排紙ローラ１５２は、シート排紙トレイ１５１上に記録済みシートＰｓを排紙する。シート搬送ローラ１５３は、シート排紙ローラ１５２に向けて記録済みシートＰｓを搬送する。シート排紙ガイド板１５４は、シート搬送ローラ１５３によりシート排紙ローラ１５２に向けて搬送される記録済みシートＰｓをガイドする。なお、本例のシート排紙部１５０は、自動原稿給紙装置１４０と一体的に構成されている。
【００５９】
給紙部１７０は、図２に示すように、コピー用紙またはＯＨＰシートなどの記録媒体としてのシートＰが収容された給紙カセット１７１を収納するためのカセット収納部１７２、および給紙カセット１７１に収容されているシートＰを１枚ずつ分離して給紙する分離給紙装置１７３などで構成されている。
【００６０】
搬送系１８０は、図２に示すように、給紙部１７０から画像形成部１３０に向けてシートＰをガイドする給紙ガイド板１８１を備えている。この給紙ガイド板１８１により給紙経路１８１ａが形成されている。この給紙経路１８１ａの出口には、シートＰを所定のタイミングで画像形成部１３０に送り込むレジストローラ１８２が配設されている。
【００６１】
また、搬送系１８０は、画像形成部１３０の定着装置１３７で定着されたシートＰを装置本体１０１の最上部のシート排紙部１５０に向けてガイドするシート排紙ガイド板１８３を備えている。このシート排紙ガイド板１８３によりシート排紙経路１８３ａが形成されている。
【００６２】
また、本例の搬送系１８０は、記録済みシートＰｓを、その画像形成面を反転させて給紙経路１８１ａに送り込む反転搬送ローラ１８５および反転搬送ガイド板１８６により形成された反転搬送経路１８６ａを有している。
【００６３】
この反転搬送経路１８６ａと、画像形成部１３０の定着装置１３７から排紙されたシートＰの排紙搬送経路１８７ａとの合流部には、排紙搬送経路１８７ａを一旦抜け出たシートＰの搬送経路を、反転搬送経路１８６ａがわに切り替える反転切替爪１８８が配設されている。また、反転切替爪１８８の排紙方向下流側には、シートＰを上面排紙方向および反転搬送方向に搬送する正逆回転ローラ１８９が配設されている。
【００６４】
次に、本実施の形態１に係る画像形成装置の動作について説明する。
【００６５】
この画像形成装置１００は、手動複写モード、外部入力プリントモード、および自動複写モード、の３つのードを有している。
【００６６】
ここで、手動複写モードとは、手操作により原稿載置台１２１上に載置したシート原稿またはブック原稿を読取部１２０のＣＣＤ１２３ｄで読み取った画像情報により複写する印刷モードである。
【００６７】
外部入力プリントモードとは、受信部１１０に入力されたＰＣ、ＦＡＸおよびメモリカードなどの外部機器からの画像情報によりプリントアウトする印刷モードである。
【００６８】
自動複写モードとは、原稿給紙トレイ１４１上にセットされた原稿Ｏを自動原稿給紙装置１４０のスキャナ１４４で読み取った画像情報により複写する印刷モードである。
【００６９】
前記手動複写モードでは、図２において、読取部１２０の原稿カバー１２２を自動原稿給紙装置１４０と共に開放して原稿載置台１２１を露呈させる。そして、この露呈した原稿載置台１２１上にユーザの手操作で複写するシート原稿またはブック原稿を載置する。
【００７０】
読取部１２０には、原稿載置台１２１に載置されたシート原稿またはブック原稿の有無を検出する手動原稿検出手段としての原稿サイズセンサ（不図示）が配設されている。
【００７１】
図２において、前記原稿サイズセンサにより原稿載置台１２１上にシート原稿またはブック原稿が載置されていることが検出された状態で、ユーザが装置本体の操作パネル１０２（図１参照）上のコピーボタンを押すと、走査光学系１２３が動作してＣＣＤ１２３ｄがシート原稿またはブック原稿の画像データを読み取る。このＣＣＤ１２３ｄが読み取った画像データは、図示しない画像処理装置によって印刷データに変換された後、所定のタイミングで露光装置１３３に入力される。
【００７２】
一方、前記コピーボタンの押下により、感光体１３１が所定方向に回転し、感光体１３１の表面が帯電器１３２により一様に帯電される。露光装置１３３は、この一様に帯電された感光体１３１の表面に、前記画像処理装置によって変換された印刷データをレーザ光として照射する。このレーザ光の照射により、感光体１３１の表面に読み取った原稿の静電潜像が形成される。
【００７３】
この静電潜像は、現像装置１３４から供給されるトナーにより可視像（トナー像）化される。そして、このトナー像は、レジストローラ１８２によって所定のタイミングで給紙されたシートＰ上に転写ローラ１３５により転写された後、定着装置１３７によりシートＰ上に定着される。
【００７４】
このようにしてシート原稿またはブック原稿の画像が形成された記録済みシートＰｓは、シート排紙経路１８３ａを通りシート排紙部１５０のシート排紙トレイ１５１上に排紙されて載置される。
【００７５】
前記外部入力プリントモードでは、ＰＣ、ＦＡＸおよびメモリカードなどの外部機器から受信部１１０に入力された画像情報（画像データ）が、装置本体１０１に配設されている記憶手段としてのメモリ（不図示）に記憶（蓄積）される。このメモリに蓄積された画像データは、図示しない画像処理装置によって印刷データに変換されて所定のタイミングで露光装置１３３に入力される。
【００７６】
また、この外部入力プリントモードでは、定着装置１３７で定着された記録済みシートＰｓが、シート排紙経路１８３ａを通してシート排紙部１５０に向けて搬送され、シート排紙ローラ１５２によりシート排紙トレイ１５１上に排紙されて載置される。
【００７７】
前記自動複写モードでは、図３に示すように、自動原稿給紙装置１４０の原稿給紙トレイ１４１上に自動給紙する原稿Ｏをセットする。これにより、自動原稿給紙装置１４０により給紙される原稿Ｏの有無を検出する原稿検出手段としての原稿センサ（不図示）がオンする。この原稿センサのオンによって、原稿Ｏの画像情報を読み取るスキャナ１４３のランプの発光準備などが行われる。
【００７８】
前記原稿センサがオンしている状態で、ユーザが装置本体１０１の操作パネル１０２上のコピーボタンを押すと、図３に示すように、原稿給紙トレイ１４１上の原稿Ｏが原稿給紙ローラ１４２により給紙される。これにより、原稿Ｏがスキャナ１４３の原稿読み取りガラスに密着しながら搬送され原稿Ｏの画像情報が読み取られる。読み取りが終了した原稿Ｏは、図４に示すように、原稿排紙ローラ１４４により自動原稿給紙装置１４０の原稿排紙トレイ１４５上に排紙される。
【００７９】
このようにして、自動原稿給紙装置１４０のスキャナ１４３で読み取られた原稿Ｏの画像情報（画像データ）は、前記外部入力プリントモードの場合と同様に、前記メモリに記憶される。このメモリに記憶された画像データは、図示しない画像処理装置によって印刷データに変換され所定のタイミングで露光装置１３３に入力される。
【００８０】
この露光装置１３３に入力された印刷データは、前記手動複写モードの場合と同様に、所定のタイミングで一様に帯電された感光体１３１の表面にレーザ光として照射され、定着装置１３７によりシートＰ上にトナー像として定着される。
【００８１】
この自動複写モードにおいて画像形成された記録済みシートＰｓは、前記外部入力プリントモードの場合と同じく、シート排紙経路１８３ａを通してシート排紙部１５０に向けて搬送される。さらに、この記録済みシートＰｓは、シート搬送ローラ１５３によりシート排紙ガイド板１５４に沿って搬送され、図４に示すように、シート排紙ローラ１５２により原稿給紙トレイ１４１の上面部位に配設したシート排紙トレイ１５１上に排紙されて載置される。
【００８２】
ところで、本実施の形態１に係る画像形成装置１００では、原稿排紙ローラ１４４を原稿給紙ローラ１４２よりも原稿排紙方向下流側に配置して、読み取りを終えた原稿Ｏの排紙方向下流端部が原稿給紙トレイ１４１の原稿給紙方向上流端部１４１ａよりも排紙方向下流側に飛び出した位置（図４の右方側）に臨むように構成している。
【００８３】
また、この画像形成装置１００では、シート排紙ローラ１５２を原稿排紙ローラ１４４よりも排紙方向下流側に配置して、記録済みシートＰｓの排紙方向下流端部がシート排紙トレイ１５１のシート排紙方向下流側端部１５１ａよりも排紙方向下流側に飛び出した位置（図４の右方側）に臨むように構成している。
【００８４】
従って、この画像形成装置１００においては、自動原稿給紙装置１４０を用いて画像形成を行った場合、読み取り済みの原稿Ｏと記録済みシートＰｓとの排紙方向下流端部が互いにずれた位置に排紙される。また、原稿給紙トレイ１４１の原稿給紙方向上流端部１４１ａは、図４に示すように、読み取り済みの原稿Ｏと記録済みシートＰｓとの双方の排紙方向下流端部よりも内側に位置するようになる。
【００８５】
これにより、この画像形成装置１００においては、原稿排紙トレイ１４５上に排紙された原稿Ｏの下にユーザが手を挿入して、読み取り済みの原稿Ｏと記録済みシートＰｓとをそのまま片手で同時に掴んで容易に取り出すことができる。
【００８６】
また、この画像形成装置１００においては、読み取り済みの原稿Ｏと記録済みシートＰｓとを同時に掴んだ際に、それらの排紙方向下流端部が互いにずれた状態となるので、それらをそのまま重ねて取り出しても容易に分別することができる。
【００８７】
（実施の形態２）
次に、本発明の実施の形態２に係る画像形成装置について説明する。
【００８８】
図５は、本発明の実施の形態２に係る画像形成装置の外観を示す概略斜視図である。
【００８９】
図５に示すように、この画像形成装置５００においては、シート排紙トレイ１５１に載置される記録済みシートＰｓと、原稿排紙トレイ１４５に載置される原稿Ｏとが、互いに排紙方向と直交する向きに位置ずれするように排紙される。つまり、この画像形成装置５００は、原稿Ｏの排紙経路中心と、記録済みシートＰｓの排紙経路中心とが、互いにずれた位置になるように構成されている。
【００９０】
この画像形成装置５００においては、読み取り済みの原稿Ｏと記録済みシートＰｓとをユーザが片手で同時に掴み、かつ互いに排紙方向に位置ずれした位置関係を維持したまま取り出すことができるので、利便性がより向上される。
【００９１】
また、この画像形成装置５００においては、原稿排紙トレイ１４５とシート排紙トレイ１５１との位置関係も、互いに排紙方向と直交する向きに位置ずれした位置関係に構成できるので、シート排紙トレイ１５１の下方に位置する原稿排紙トレイ１４５への原稿Ｏのセット作業を容易に行えるようになる。
【００９２】
なお、本例の画像形成装置５００におけるその他の構成および動作は、実施の形態１に係る画像形成装置１００の構成および動作と同様であるので、その説明を省略する。
【００９３】
（実施の形態３）
次に、本発明の実施の形態３に係る画像形成装置について説明する。
【００９４】
図６は、本発明の実施の形態３に係る画像形成装置の全体的な構成を示す概略断面図である。
【００９５】
図６に示すように、この画像形成装置６００は、原稿給紙トレイ１４１の基部が自動原稿給紙装置１４０の本体に植設された支軸１４７に遥動自在に枢支されており、図６において、原稿給紙トレイ１４１が上方に変位するように構成されている。
【００９６】
この画像形成装置６００においては、原稿排紙トレイ１４５上に排紙された原稿Ｏの下にユーザが手を挿入して、読み取り済みの原稿Ｏと記録済みシートＰｓとをそのまま片手で同時に掴み上げた際に、図６に示すように、原稿給紙トレイ１４１が上方に変位する。
【００９７】
従って、この画像形成装置６００においては、読み取り済みの原稿Ｏと記録済みシートＰｓとをユーザが片手で同時に掴んで取り出す作業をより容易に行えるようになる。
【００９８】
また、この画像形成装置６００においては、読み取り済みの原稿Ｏと記録済みシートＰｓとをユーザが掴み上げた際に、図６に示すように、それらの排紙方向下流端部が互いに位置ずれした状態になるので、それらをそのまま重ねて取り出しても確実かつ容易に分別することができる。
【００９９】
また、この画像形成装置６００においては、シート排紙トレイ１５１の基部が自動原稿給紙装置１４０の本体に植設された支軸１５５に遥動自在に枢支されており、図６において、シート排紙トレイ１５１が上方に変位するように構成されている。
【０１００】
この画像形成装置６００においては、原稿給紙トレイ１４１上に原稿Ｏをセットする際に、シート排紙トレイ１５１を上方に変位させて原稿給紙トレイ１４１を大きく露呈させることができるので、原稿給紙トレイ１４１への原稿Ｏのセット作業をより容易に行うことができるようになる。
【０１０１】
なお、本例の画像形成装置６００におけるその他の構成および動作は、実施の形態１に係る画像形成装置１００の構成および動作と同様であるので、その説明を省略する。
【０１０２】
（実施の形態４）
次に、本発明の実施の形態４に係る画像形成装置について説明する。
【０１０３】
図７は、本発明の実施の形態４に係る画像形成装置の外観を示す概略斜視図である。図８は、本発明の実施の形態４に係る画像形成装置の全体的な構成を示す概略断面図である。図９は、本発明の実施の形態４に係る画像形成装置の自動複写モード時の動作態様を示す概略断面図である。図１０は、本発明の実施の形態４に係る画像形成装置の複写終了時の態様を示す概略断面図である。
【０１０４】
図７及び図８に示すように、この画像形成装置７００は、原稿排紙トレイ１４５に湾曲部１４５ａを有している。この湾曲部１４５ａは、図９及び図１０に示すように、原稿排紙トレイ１４５に排紙された原稿Ｏの排紙方向下流端部を上方に湾曲させるように形成されている。
【０１０５】
この画像形成装置７００においては、原稿排紙トレイ１４５に排紙して載置された原稿Ｏの排紙方向下流端部が湾曲部１４５ａにより上方に湾曲される。これにより、原稿Ｏと記録済みシートＰｓとの双方の排紙方向下流端部の離間距離を、ユーザが原稿Ｏと記録済みシートＰｓとを片手で同時に掴み易い距離に縮めることができる。
【０１０６】
また、この画像形成装置７００は、原稿給紙トレイ１４１およびシート排紙トレイ１５１の、原稿排紙トレイ１４５の湾曲部１４５ａと上下方向で対向する部位に、切欠部１４１ｂ、１５１ｂがそれぞれ設けられている。
【０１０７】
ここで、シート排紙トレイ１５１の切欠部１５１ｂは、図７に示すように、原稿給紙トレイ１４１に載置された原稿Ｏの側面位置を位置決めする変位自在な原稿位置規制板１４６の可動範囲よりも大きく切り欠いてある。これにより、原稿Ｏおよび記録済みシートＰｓのそれぞれの排紙方向下流端部が、原稿給紙トレイ１４１およびシート排紙トレイ１５１のそれぞれの切欠部切欠部１４１ｂ、１５１ｂから迫り出すように載置される。
【０１０８】
従って、この画像形成装置７００においては、切欠部１４１ｂ、１５１ｂから迫り出した原稿Ｏおよび記録済みシートＰｓのそれぞれの排紙方向下流端部を片手で同時に掴む際に原稿給紙トレイ１４１およびシート排紙トレイ１５１が邪魔になることがなく、原稿排紙トレイ１４１上に排紙された原稿Ｏの下にユーザが手を挿入し、そのままユーザが原稿Ｏと記録済みシートＰｓとを同時に片手で容易に掴むことができる。
【０１０９】
なお、本例の画像形成装置７００におけるその他の構成および動作は、実施の形態３に係る画像形成装置６００の構成および動作と同様であるので、その説明を省略する。
【０１１０】
（実施の形態５）
次に、本発明の実施の形態５に係る画像形成装置について説明する。
【０１１１】
図１１は、本発明の実施の形態５に係る画像形成装置の全体的な構成を示す概略断面図である。図１２は、本発明の実施の形態５に係る画像形成装置の複写終了時の態様を示す概略断面図である。
【０１１２】
本実施の形態５に係る画像形成装置１１００は、原稿排紙トレイ１４１に載置される原稿Ｏと、シート排紙トレイ１５１に載置される記録済みシートＰｓとが、互いの表裏が反対になるように排紙されるように構成されている。
【０１１３】
本例の画像形成装置１１００においては、図１１に示すように、原稿給紙トレイ１４１が読取部１２０の原稿カバー１２２を兼ねている。そして、この原稿給紙トレイ１４１にセットされた原稿Ｏは、図１２に示すように、原稿給紙トレイ１４１の上方に配設された原稿排紙トレイ１４５上に排紙されて載置される。
【０１１４】
すなわち、原稿Ｏは、図１１に示すように、その原稿面（画像面）が下になるように原稿排紙トレイ１４５上にセットされる。原稿排紙トレイ１４５上にセットされた原稿Ｏは、原稿給紙ローラ１４２によりスキャナ１４３に向けて給紙され、スキャナ１４３により画像情報が読み取られる。そして、画像情報が読み取られた原稿Ｏは、図１２に示すように、原稿排紙ローラ１４４により原稿排紙トレイ１４５上に排紙されて載置される。
【０１１５】
これにより、排紙された原稿Ｏと記録済みシートＰｓとの間には、図１２に示すように、シート排紙トレイ１５１だけが存在するようになる。従って、この画像形成装置１１００においては、排紙された原稿Ｏと記録済みシートＰｓとの距離が近くなるので、原稿Ｏと記録済みシートＰｓとをユーザが片手で同時に掴む際の作業がさらにやりやすくなる。
【０１１６】
また、この画像形成装置１１００においては、画像情報の読み取りを終えた原稿Ｏが、図１２において、その原稿面が上向きになるように原稿排紙トレイ１４５上に排紙されて載置され、一方、記録済みシートＰｓが、図１２において、その画像形成面が下向きになるようにシート排紙トレイ１５１上に排紙されて載置される。
【０１１７】
このように、この画像形成装置１１００においては、原稿Ｏの原稿面と記録済みシートＰｓの画像形成面とが互いに向き合うように排紙されて配置されるので、これらを取り出し誤って重ね合わせて揃えてしまっても、原稿Ｏと記録済みシートＰｓとをきわめて簡単に分別することができるようになる。
【０１１８】
なお、本例の画像形成装置１１００におけるその他の構成および動作は、実施の形態３に係る画像形成装置６００の構成および動作と同様であるので、その説明を省略する。
【０１１９】
（実施の形態６）
次に、本発明の実施の形態６に係る画像形成装置について説明する。
【０１２０】
図１３は、本発明の実施の形態６に係る画像形成装置の外観を示す概略斜視図である。
【０１２１】
図１３に示すように、この画像形成装置１３００は、自動原稿給紙装置１４０により給紙された原稿Ｏの排紙方向と、画像形成部１３０にて画像形成されてシート排紙部１５０から排紙される記録済みシートＰｓの排紙方向とが、互いに直交するように９０度ねじれた方向に構成されている。
【０１２２】
これにより、この画像形成装置１３００においては、画像情報の読み取りを終えて原稿排紙トレイ１４５上に排紙されて載置された原稿Ｏの長手方向と、シート排紙トレイ１５１上に排紙されて載置された記録済みシートＰｓの長手方向とが、互いに直交した状態となる。
【０１２３】
従って、この画像形成装置１３００においては、自動原稿給紙装置１４０を用いて複写を行った場合に、読み取り済みの原稿Ｏと記録済みシートＰｓとを同時に片手で取り出して容易に分別することができるようになる。
【０１２４】
なお、本例の画像形成装置１３００におけるその他の構成および動作は、実施の形態４に係る画像形成装置７００の構成および動作と同様であるので、その説明を省略する。
【０１２５】
ところで、本発明の各実施の形態に係る画像形成装置１００，５００，６００，７００，１１００，１３００では、画像形成部１３０の画像形成方式として電子写真方式による一例について説明したが、本発明は、同様の画像形成装置であればインクジェット方式など他の画像形成方式を用いたものにも適用できることは言うまでもない。
【０１２６】
また、本発明の各実施の形態に係る画像形成装置１００，５００，６００，７００，１１００，１３００は、複写機能、プリント機能、およびファクシミリ機能等を有する多機能の複合機を例示したものであるが、単一の機能を有するものであってもよい。
【産業上の利用可能性】
【０１２７】
本発明に係る画像形成装置は、画像情報の読み取りを終えて排紙された原稿と、画像情報に基づいて画像が形成された記録済みシートとを、区分された状態を保ったまま容易に片手で取り出すことができるので、原稿を自動給紙する自動原稿給紙装置を搭載した複写機、プリンタ、ファクシミリ、およびこれらの機器を統合した多機能の複合機からなる画像形成装置として有用である。
【図面の簡単な説明】
【０１２８】
【図１】本発明の実施の形態１に係る画像形成装置の外観を示す概略斜視図
【図２】本発明の実施の形態１に係る画像形成装置の全体的な構成を示す概略断面図
【図３】本発明の実施の形態１に係る画像形成装置の自動複写モード時の動作態様を示す概略断面図
【図４】本発明の実施の形態１に係る画像形成装置の複写終了時の態様を示す概略断面図
【図５】本発明の実施の形態２に係る画像形成装置の外観を示す概略斜視図
【図６】本発明の実施の形態３に係る画像形成装置の全体的な構成を示す概略断面図
【図７】本発明の実施の形態４に係る画像形成装置の外観を示す概略斜視図
【図８】本発明の実施の形態４に係る画像形成装置の全体的な構成を示す概略断面図
【図９】本発明の実施の形態４に係る画像形成装置の自動複写モード時の動作態様を示す概略断面図
【図１０】本発明の実施の形態４に係る画像形成装置の複写終了時の態様を示す概略断面図
【図１１】本発明の実施の形態５に係る画像形成装置の全体的な構成を示す概略断面図
【図１２】本発明の実施の形態５に係る画像形成装置の複写終了時の態様を示す概略断面図
【図１３】本発明の実施の形態６に係る画像形成装置の外観を示す概略斜視図
【符号の説明】
【０１２９】
１００，５００，６００，７００，１１００，１３００  画像形成装置
１２０  読取部
１２１  原稿載置台
１２２  原稿カバー
１２３  走査光学系
１３０  画像形成部
１３１  感光体
１３２  帯電器
１３３  露光装置
１３４  現像装置
１３５  転写ローラ
１３６  クリーニング装置
１３７  定着装置
１４０  自動原稿給紙装置
１４１  原稿給紙トレイ
１４１ａ  原稿給紙方向上流端部
１４１ｂ，１５１ｂ  切欠部
１４２  原稿給紙ローラ
１４３  スキャナ
１４４  原稿排紙ローラ
１４５  原稿排紙トレイ
１４７，１５５  支軸
１５０  シート排紙部
１５１  シート排紙トレイ
１５１ａ  シート排紙方向下流端部
１５２  シート排紙ローラ
１５３  シート搬送ローラ
１５４  シート排紙ガイド板
１７０  給紙部
１８０  搬送系
１８２  レジストローラ
１８８  反転切替爪
Ｏ  原稿
Ｐ  シート
Ｐｓ  記録済みシート
【図１】
2005309014.tif 000003
【図２】
2005309014.tif 000004
【図３】
2005309014.tif 000005
【図４】
2005309014.tif 000006
【図５】
2005309014.tif 000007
【図６】
2005309014.tif 000008
【図７】
2005309014.tif 000009
【図８】
2005309014.tif 000010
【図９】
2005309014.tif 000011
【図１０】
2005309014.tif 000012
【図１１】
2005309014.tif 000013
【図１２】
2005309014.tif 000014
【図１３】
2005309014.tif 000015